(57)【特許請求の範囲】
【請求項１】
複写機能を備えるとともにファクシミリ機能をオプション機能として搭載可能な複合装置において、
前記複写機能およびファクシミリ機能の動作制御を行う中央処理装置と、
該中央処理装置のワークエリア、前記複写機能で画像データを一時保存するために使用する第１の画像用メモリ領域を少なくとも構成するとともにバッテリバックアップされた基本メモリと、
拡張メモリを装着するための拡張メモリ装着手段と、
前記拡張メモリ装着手段に拡張メモリが装着されず、かつ、前記ファクシミリ機能が搭載されていない場合には、前記基本メモリに、前記ワークエリアおよび前記第１の画像用メモリ領域を割り当て、
前記拡張メモリ装着手段に拡張メモリが装着されず、かつ、前記ファクシミリ機能が搭載されている場合には、前記基本メモリに、前記ワークエリア、前記第１の画像用メモリ領域、および、前記ファクシミリ機能で使用する第２の画像用メモリ領域を割り当て、
前記拡張メモリ装着手段に拡張メモリが装着され、かつ、前記ファクシミリ機能が搭載されていない場合には、前記基本メモリに、前記ワークエリアおよび前記第１の画像用メモリ領域を割り当てるとともに、前記拡張メモリに、前記複写機能の拡張機能で使用される第１の拡張メモリ領域を割り当て、
前記拡張メモリ装着手段に拡張メモリが装着され、かつ、前記ファクシミリ機能が搭載されている場合には、前記基本メモリに、前記ワークエリア、前記第１の画像用メモリ領域の一部、および、前記ファクシミリ機能で使用する第２の画像用メモリ領域の全部を割り当てるとともに、前記拡張メモリの記憶領域に、前記第１の画像用メモリ領域の残りの部分、および、前記第１の拡張メモリ領域を割り当てる
メモリ管理手段を
備えたことを特徴とする複合装置。
【発明の詳細な説明】
【０００１】
【発明の属する技術分野】
本発明は、複写機能を備えるとともにファクシミリ機能をオプション機能として搭載可能な複合装置に関する。
【０００２】
【従来の技術】
従来、複写機能とファクシミリ機能を少なくとも備えた複合装置では、複写機能で使用する複写用画像メモリ領域と、ファクシミリ機能で使用するファクシミリ用画像メモリ領域を設けている。
【０００３】
そして、複写機能では、例えば、ソートモードの複写動作時に、全ての複写原稿画像を読み取り、読み取って得たそれぞれの複写原稿ページの読取画像データを符号化圧縮し、その符号化圧縮して得た画情報を複写用画像メモリ領域に蓄積し、指定された部数の複写物を記録出力するとともに、ソート用のトレイに仕分けて排出するようにしている。
【０００４】
また、ファクシミリ機能では、メモリ送信モードが指定された場合、同報送信、親展受信、または、代行受信時に、送信する画情報データまたは受信した画情報データを、ファクシミリ用画像メモリ領域に蓄積している。
【０００５】
【発明が解決しようとする課題】
さて、この場合、ソートモードの複写動作時に複写可能な複写原稿の最大ページ数は、複写対象となっている複写原稿の画像の複雑さにもよるが、複写用画像メモリ領域のデータ容量に依存する。
【０００６】
従来、このソートモードでの複写原稿の最大ページ数を増やすことができるように、拡張メモリを装着できるように構成したものが実用されている。
【０００７】
しかしながら、この場合、装着した拡張メモリは、複写用画像メモリ領域にのみ使用されているため、拡張メモリを装着してもファクシミリ用画像メモリ領域のデータ容量が増えないという事態を生じていた。
【０００８】
本発明は、かかる実情に鑑みてなされたものであり、拡張メモリを装着した際にファクシミリ用画像メモリ領域も拡張することのできる複合装置を提供することを目的としている。
【０００９】
【課題を解決するための手段】
本発明は、複写機能を備えるとともにファクシミリ機能をオプション機能として搭載可能な複合装置において、前記複写機能およびファクシミリ機能の動作制御を行う中央処理装置と、該中央処理装置のワークエリア、前記複写機能で画像データを一時保存するために使用する第１の画像用メモリ領域を少なくとも構成するとともにバッテリバックアップされた基本メモリと、拡張メモリを装着するための拡張メモリ装着手段と、前記拡張メモリ装着手段に拡張メモリが装着されず、かつ、前記ファクシミリ機能が搭載されていない場合には、前記基本メモリに、前記ワークエリアおよび前記第１の画像用メモリ領域を割り当て、前記拡張メモリ装着手段に拡張メモリが装着されず、かつ、前記ファクシミリ機能が搭載されている場合には、前記基本メモリに、前記ワークエリア、前記第１の画像用メモリ領域、および、前記ファクシミリ機能で使用する第２の画像用メモリ領域を割り当て、前記拡張メモリ装着手段に拡張メモリが装着され、かつ、前記ファクシミリ機能が搭載されていない場合には、前記基本メモリに、前記ワークエリアおよび前記第１の画像用メモリ領域を割り当てるとともに、前記拡張メモリに、前記複写機能の拡張機能で使用される第１の拡張メモリ領域を割り当て、前記拡張メモリ装着手段に拡張メモリが装着され、かつ、前記ファクシミリ機能が搭載されている場合には、前記基本メモリに、前記ワークエリア、前記第１の画像用メモリ領域の一部、および、前記ファクシミリ機能で使用する第２の画像用メモリ領域の全部を割り当てるとともに、前記拡張メモリの記憶領域に、前記第１の画像用メモリ領域の残りの部分、および、前記第１の拡張メモリ領域を割り当てるメモリ管理手段を備えたものである。
【００１３】
【発明の実施の形態】
以下、添付図面を参照しながら、本発明の実施の形態を詳細に説明する。
【００１４】
図１は、本発明の一実施例にかかる複合装置の一例を示している。なお、この複合装置は、デジタル複写機と、グループ３ファクシミリ装置の機能をともに備えたものである。
【００１５】
同図において、ＣＰＵ（中央処理装置）１は、この複合装置の各部の制御処理、所定のグループ３ファクシミリ伝送制御手順処理、および、所定の複写機能制御処理を行うものであり、ＲＯＭ（リード・オンリ・メモリ）２は、ＣＰＵ１が実行する制御処理プログラム、および、処理プログラムを実行するときに必要な各種データなどを記憶するものであり、ＲＡＭ（ランダム・アクセス・メモリ；基本メモリ）３は、ＣＰＵ１のワークエリア、複写用画像メモリ領域およびファクシミリ用画像メモリ領域を構成するとともに、この複合装置に固有な各種の情報を記憶するためのものであり、また、このＲＡＭ３は、バッテリ４により、バッテリバックアップされている。また、時計回路５は、現在時刻情報を出力するためのものである。
【００１６】
スキャナ６は、所定の解像度で原稿画像を読み取るためのものであり、プロッタ７は、所定の解像度で画像を記録出力するためのものであり、操作表示部８は、この複合装置を操作するためのもので、各種の操作キー、および、各種の表示器からなる。また、符号化復号化部９は、画像データを符号化圧縮するとともに、符号化圧縮されている画情報を元の画像データに復号化するためのものである。
【００１７】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００１８】
網制御装置１１は、この複合装置をアナログ公衆網ＰＳＴＮに接続するためのものであり、自動発着信機能を備えている。また、ソケット１２は、拡張メモリ１３をこの複合装置へ接続するためのものである。
【００１９】
これらの、ＣＰＵ１、ＲＯＭ２、ＲＡＭ３、時計回路５、スキャナ６、プロッタ７、操作表示部８、符号化復号化部９、グループ３ファクシミリモデム１０、網制御装置１１、および、ソケット１２は、内部バス１４に接続されており、これらの各要素間でのデータのやりとりは、主としてこの内部バス１４を介して行われている。
【００２０】
また、網制御装置１１とグループ３ファクシミリモデム１０との間のデータのやりとりは、直接行なわれている。また、拡張メモリ１３は、ソケット１２を介して、内部バス１４に接続され、それにより、ＣＰＵ１は、拡張メモリ１３を適宜に使用することができる。
【００２１】
さて、本実施例では、複合装置に拡張メモリ１３が装着されない場合と、拡張メモリ１３が装着された場合とで、ＣＰＵ１が利用するメモリ領域の割り当てが変更される。
【００２２】
図２は、拡張メモリ１３を装着しない場合における、ＲＡＭ３のメモリ領域の割当の態様の一例を示している。
【００２３】
この場合、ＲＡＭ３は、ファクシミリ機能に関する画像データ（画情報等）を蓄積するためのファクシミリ用画像メモリ領域Ｒ１と、プロッタ６の記録画像データを１ページ分記憶するためのページメモリ領域（複写用画像メモリ領域）Ｒ２と、ワークエリアＲ３の３つに分割され、それぞれの用途に使用される。また、この場合のＲＡＭ３の容量は８ＭＢ（メガ・バイト；以下同じ）であり、ファクシミリ用画像領域Ｒ１は１ＭＢ、ページメモリ領域Ｒ２は５．３ＭＢ、ワークエリアＲ３は１．７ＭＢがそれぞれ割り当てられている。
【００２４】
図３は、拡張メモリ１３を装着した場合における、ＲＡＭ３および拡張メモリ１３のメモリ領域割当の態様の一例を示している。
【００２５】
この場合、ＲＡＭ３は、１ＭＢのファクシミリ用画像メモリ領域Ｒ１−１、１．４ＭＢのワークエリアＲ３、３ＭＢのファクシミリ用画像メモリ領域Ｒ１−２、および、２．６ＭＢのページメモリ領域Ｒ２−１に分割されている。
【００２６】
また、拡張メモリ１３のデータ容量は、３２ＭＢであり、１バンク当たり４ＭＢの８バンクに構成され、いわゆるバンクマッピング処理により、データアクセスがされる。そして、バンク１は、２．７ＭＢの複写用メモリ領域Ｒ２−２と、１．３ＭＢの蓄積用ページメモリ領域（複写用メモリ領域）Ｒ４−１に分割され、バンク２は、４ＭＢの蓄積用ページメモリ領域Ｒ４−２に割り当てられ、残りのバンク３〜８は、２４ＭＢのソート用メモリ領域Ｒ５−１，Ｒ５−２，Ｒ５−３，Ｒ５−４，Ｒ５−６にそれぞれ割り当てられている。
【００２７】
したがって、本実施例では、ファクシミリ用画像メモリ領域Ｒ１は、領域Ｒ１−１と領域Ｒ１−２を合わせた４ＭＢのデータ容量が割り当てられることとなり、図２の場合に比べて、データ容量が３ＭＢ拡張された態様となる。
【００２８】
また、このようにして、ファクシミリ用画像メモリ領域Ｒ１が全てバッテリバックアップされたＲＡＭ３に確保されるので、ファクシミリ機能にかかる蓄積画像データは、本体の電源がオフされた場合でも保持され、それにより、例えば、時刻指定送信、親展受信、および、代行受信動作を適切に行えることとなる。
【００２９】
また、本実施例では、ページメモリ領域Ｒ２−１，Ｒ２−２、蓄積用ページメモリ領域Ｒ４−１，Ｒ４−２、および、ソート用メモリ領域Ｒ５−１，Ｒ５−２，Ｒ５−３，Ｒ５−４，Ｒ５−６は、それぞれ１つの領域とみなして、ページメモリ領域Ｒ２、蓄積用ページメモリ領域Ｒ４、および、ソート用メモリ領域Ｒ５として取り扱われ、データアクセスされる。
【００３０】
したがって、この場合、ソート用メモリ領域Ｒ４が新たに確保されるので、ＣＰＵ１は、ソートモードの複写動作を行うことができる。また、ソートモードの複写動作時には、全ての複写原稿の読み取りデータを、符号化圧縮後にこのソート用メモリ領域Ｒ４へ蓄積する。
【００３１】
また、この場合、蓄積用ページメモリ領域Ｒ４は、ページメモリ領域Ｒ２とともに、ダブルバッファとして、複写時に用いられている。例えば、読取原稿の画像データの読取および蓄積と、記録する画像データの読出を平行して行うことができることとなり、複写時の動作速度を向上させることができるようになる。
【００３２】
さて、拡張メモリ１３の装着および取り外しは、本体装置の電源をオフした状態で行われる。したがって、ＣＰＵ１は、電源投入直後の初期化処理で、図４および図５に示したような処理を行う。
【００３３】
まず、そのときに記憶しているメモリ構成情報を取得し（処理１０１）、拡張メモリ１３が装着されているかどうかを調べる（判断１０２）。判断１０３の結果がＹＥＳになるときには、取得したメモリ構成情報が、拡張メモリ１３が装着したものに対応したものであるかどうかを調べ、メモリ構成が変更されているかどうかをチェックする（判断１０３）。判断１０３の結果がＮＯになるときには、メモリ構成が変更されていないので、この処理を終了し、次の処理へ進む。
【００３４】
また、メモリ構成が変更されている場合で、判断１０３の結果がＹＥＳになるときには、ＲＡＭ３に確保されているファクシミリ用画像メモリ領域（ＳＡＦ）Ｒ１に、有効な画像データが保持されているかどうかを調べ（判断１０４）、判断１０４の結果がＹＥＳになるときには、その旨を操作表示部８へ警告表示し（処理１０５）、ユーザがファクシミリ用画像メモリ領域Ｒ１に蓄積している画像データを保持する旨を指示した場合には（判断１０６の結果がＮＯ）、警告表示を継続して（処理１０７）、この処理を終了する。
【００３５】
また、ユーザがファクシミリ用画像メモリ領域Ｒ１に蓄積している画像データを保持しない旨を指示した場合（判断１０６の結果がＹＥＳ）、あるいは、ＲＡＭ３に確保されているファクシミリ用画像メモリ領域（ＳＡＦ）Ｒ１に、有効な画像データが保持されていない場合で判断１０４の結果がＮＯになるときには、拡張メモリ有りの状態でメモリ管理を初期化し（処理１０８）、メモリ構成情報を、図３に示したような拡張メモリ有りの状態に更新し（処理１０９）、この処理を終了する。
【００３６】
一方、拡張メモリ１３が装着されていない場合で、判断１０２の結果がＮＯになるときには、取得したメモリ構成情報が、拡張メモリ１３が装着されていない場合に対応したものであるかどうかを調べ、メモリ構成が変更されているかどうかをチェックする（判断１１０）。判断１１０の結果がＮＯになるときには、メモリ構成が変更されていないので、この処理を終了し、次の処理へ進む。
【００３７】
また、メモリ構成が変更されている場合で、判断１１０の結果がＹＥＳになるときには、ＲＡＭ３に確保されているファクシミリ用画像メモリ領域（ＳＡＦ）Ｒ１に、有効な画像データが保持されているかどうかを調べ（判断１１１）、判断１１１の結果がＹＥＳになるときには、その旨を操作表示部８へ警告表示し（処理１１２）、ユーザがファクシミリ用画像メモリ領域Ｒ１に蓄積している画像データを保持する旨を指示した場合には（判断１１３の結果がＮＯ）、警告表示を継続して（処理１１４）、この処理を終了する。
【００３８】
また、ユーザがファクシミリ用画像メモリ領域Ｒ１に蓄積している画像データを保持しない旨を指示した場合（判断１１３の結果がＹＥＳ）、あるいは、ＲＡＭ３に確保されているファクシミリ用画像メモリ領域（ＳＡＦ）Ｒ１に、有効な画像データが保持されていない場合で判断１１１の結果がＮＯになるときには、拡張メモリなしの状態でメモリ管理を初期化し（処理１１５）、処理１０９へ移行し、メモリ構成情報を、図２に示したような拡張メモリなしの状態に更新し、この処理を終了する。
【００３９】
このようにして、本実施例では、拡張メモリ１３が着脱された際、ファクシミリ用画像メモリ領域Ｒ１に有効な画情報ファイルが保存されている場合、その旨をユーザに警告表示しているので、ユーザは、拡張メモリ１３の着脱操作を適切に行うことができることとなる。
【００４０】
ところで、上述した実施例では、拡張メモリのデータ容量を３２ＭＢに設定しているが、このデータ容量は、これに限ることはない。また、拡張メモリ装着時のメモリマップにおいて、ページメモリ領域の一部をＲＡＭ３に割り当てているが、ページメモリ領域に記憶されるデータは、本体装置の電源オフ時には使用することがないデータであるので、ページメモリ領域を全て拡張メモリに割り当てるようにすることもできる。
【００４１】
なお、上述した実施例では、複写機能とグループ３ファクシミリ機能を備えた複合装置について説明したが、複写機能とグループ４ファクシミリ機能を備えた複合装置、あるいは、さらにプリンタ機能を備えた複合装置についても本発明を同様にして適用することができる。
【００４２】
図６は、本発明の他の実施例にかかる複合装置の一例を示している。なお、この複合装置は、デジタル複写機に、グループ３ファクシミリ装置の機能をオプション機能として搭載可能なものである。
【００４３】
同図において、ＣＰＵ（中央処理装置）２１は、この複合装置の各部の制御処理、オプションであるファクシミリユニット（後述）が接続されている場合には所定のグループ３ファクシミリ伝送制御手順処理、および、所定の複写機能制御処理を行うものであり、ＲＯＭ（リード・オンリ・メモリ）２２は、ＣＰＵ２１が実行する制御処理プログラム、および、処理プログラムを実行するときに必要な各種データなどを記憶するものであり、ＲＡＭ（ランダム・アクセス・メモリ；基本メモリ）２３は、ＣＰＵ２１のワークエリア、複写用画像メモリ領域およびファクシミリ用画像メモリ領域を構成するとともに、この複合装置に固有な各種の情報を記憶するためのものであり、また、このＲＡＭ２３は、バッテリ４により、バッテリバックアップされている。また、時計回路２５は、現在時刻情報を出力するためのものである。
【００４４】
スキャナ２６は、所定の解像度で原稿画像を読み取るためのものであり、プロッタ２７は、所定の解像度で画像を記録出力するためのものであり、操作表示部２８は、この複合装置を操作するためのもので、各種の操作キー、および、各種の表示器からなる。また、符号化復号化部２９は、画像データを符号化圧縮するとともに、符号化圧縮されている画情報を元の画像データに復号化するためのものである。
【００４５】
グループ３ファクシミリモデム３０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００４６】
網制御装置３１は、この複合装置をアナログ公衆網ＰＳＴＮに接続するためのものであり、自動発着信機能を備えている。この網制御装置３１およびグループ３ファクシミリモデム３０により、オプションユニットであるファクシミリユニットＦＵが構成されている。このファクシミリユニットＦＵは、本体装置に対して着脱自在に構成されている。
【００４７】
また、ソケット３２は、拡張メモリ３３をこの複合装置へ接続するためのものである。
【００４８】
これらの、ＣＰＵ２１、ＲＯＭ２２、ＲＡＭ２３、時計回路２５、スキャナ２６、プロッタ２７、操作表示部２８、符号化復号化部２９、ファクシミリユニットＦＵが接続された場合のグループ３ファクシミリモデム３０、ファクシミリユニットＦＵが接続された場合の網制御装置３１、および、ソケット３２は、内部バス３４に接続されており、これらの各要素間でのデータのやりとりは、主としてこの内部バス３４を介して行われている。
【００４９】
また、網制御装置３１とグループ３ファクシミリモデム３０との間のデータのやりとりは、直接行なわれている。また、拡張メモリ３３は、ソケット３２を介して、内部バス３４に接続され、それにより、ＣＰＵ２１は、拡張メモリ３３を適宜に使用することができる。
【００５０】
さて、本実施例では、ソケット３２に拡張メモリ３３が装着されない場合と、拡張メモリ３３が装着された場合とで、ＣＰＵ２１が利用するメモリ領域の割り当てが変更される。
【００５１】
図７は、拡張メモリ３３を装着しない場合における、ＲＡＭ２３のメモリ領域の割当の態様の一例を示している。
【００５２】
この場合、ＲＡＭ２３は、ファクシミリ機能に関する画像データ（画情報等）を蓄積するためのファクシミリ用画像メモリ領域Ｒ１１と、プロッタ２６の記録画像データを１ページ分記憶するためのページメモリ領域（複写用画像メモリ領域）Ｒ１２と、ワークエリアＲ１３の３つに分割され、それぞれの用途に使用される。また、この場合のＲＡＭ２３の容量は８ＭＢ（メガ・バイト；以下同じ）であり、ファクシミリ用画像領域Ｒ１１は１ＭＢ、ページメモリ領域Ｒ１２は５．３ＭＢ、ワークエリアＲ１３は１．７ＭＢがそれぞれ割り当てられている。
【００５３】
図８は、拡張メモリ３３を装着した場合における、ＲＡＭ２３および拡張メモリ３３のメモリ領域割当の態様の一例を示している。
【００５４】
この場合、ＲＡＭ２３は、図７の場合と同様に、１ＭＢのファクシミリ用画像メモリ領域Ｒ１１、１．４ＭＢのワークエリアＲ１３、５．３ＭＢのページメモリ領域Ｒ１２に分割されている。
【００５５】
また、拡張メモリ１３のデータ容量は、３２ＭＢであり、１バンク当たり４ＭＢの８バンクに構成され、いわゆるバンクマッピング処理により、データアクセスがされる。そして、バンク１は、４ＭＢの蓄積用ページメモリ領域（複写用メモリ領域）Ｒ１４−１に割り当てられ、バンク２は、１．３ＭＢの蓄積用ページメモリ領域Ｒ１４−２と、２．７ＭＢのソート用メモリ領域Ｒ１５−１に割り当てられ、残りのバンク３〜８は、ソート用メモリ領域Ｒ１５−２，Ｒ１５−３，Ｒ１５−４，Ｒ１５−６，Ｒ１５−７にそれぞれ割り当てられている。
【００５６】
そして、この状態で、ファクシミリユニットＦＵを接続すると、図９に示すように、ＲＡＭ２３と拡張メモリ３３のメモリ領域の割り当てが変更される。なお、同図は、ファクシミリ用画像メモリ領域が４ＭＢに設定された場合である。
【００５７】
この場合、ＲＡＭ２３は、１ＭＢのファクシミリ用画像メモリ領域Ｒ１１−１、１．４ＭＢのワークエリアＲ１３、３ＭＢのファクシミリ用画像メモリ領域Ｒ１１−２、および、２．６ＭＢのページメモリ領域Ｒ１２−１に分割される。
【００５８】
また、拡張メモリ３３については、バンク１は、２．７ＭＢの複写用メモリ領域Ｒ１２−２と、１．３ＭＢの蓄積用ページメモリ領域（複写用メモリ領域）Ｒ１４−１に分割され、バンク２は、４ＭＢの蓄積用ページメモリ領域Ｒ１４−２に割り当てられ、残りのバンク３〜８は、ソート用メモリ領域Ｒ１５−１，Ｒ１５−２，Ｒ１５−３，Ｒ１５−４，Ｒ１５−６にそれぞれ割り当てられる。
【００５９】
また、ファクシミリ用画像メモリ領域を６ＭＢに設定することもでき、その場合のＲＡＭ２３と拡張メモリ３３のメモリ領域の割り当ての一例を図１０に示す。
【００６０】
この場合、ＲＡＭ２３は、１ＭＢのファクシミリ用画像メモリ領域Ｒ１１−１、１．４ＭＢのワークエリアＲ１３、５ＭＢのファクシミリ用画像メモリ領域Ｒ１１−２、および、０．６ＭＢのページメモリ領域Ｒ１２−１に分割される。
【００６１】
また、拡張メモリ３３については、バンク１は、４ＭＢの複写用メモリ領域Ｒ１２−２に割り当てられ、バンク２は、０．７ＭＢの複写用メモリ領域Ｒ１２−３と、３．３ＭＢの蓄積用ページメモリ領域（複写用メモリ領域）Ｒ１４−１に分割され、バンク３は、２ＭＢの蓄積用ページメモリ領域Ｒ１４−２と、２ＭＢのソート用メモリ領域Ｒ１５−１に割り当てられ、残りのバンク４〜８は、ソート用メモリ領域Ｒ１５−２，Ｒ１５−３，Ｒ１５−４，Ｒ１５−６にそれぞれ割り当てられる。
【００６２】
したがって、本実施例では、ファクシミリ用画像メモリ領域Ｒ１の割り当てを、最大６ＭＢまで拡張することができるので、複合装置のファクシミリ機能を利用して、より多様な機能を実現することができることとなる。
【００６３】
また、ファクシミリ用画像メモリ領域Ｒ１は全てバッテリバックアップされたＲＡＭ２３に確保されるので、ファクシミリ機能にかかる蓄積画像データは、本体の電源がオフされた場合でも保持され、それにより、例えば、時刻指定送信、親展受信、および、代行受信動作を適切に行えることとなる。
【００６４】
また、拡張メモリ３３の装着および取り外しは、本体装置の電源をオフした状態で行われる。したがって、ＣＰＵ１は、電源投入直後の初期化処理で、図１１に示したような処理を行う。
【００６５】
まず、拡張メモリ３３が装着されているかどうかを調べ（判断２０１）、判断２０１の結果がＹＥＳになるときには、ファクシミリユニットＦＵが接続されているかどうかを調べる（判断２０２）。
【００６６】
判断２０２の結果がＹＥＳになるときには、ファクシミリ用画像メモリ領域（ＳＡＦ領域）の容量が設定されているかどうかを調べ（判断２０３）、判断２０３の結果がＮＯになるときには、ファクシミリ用画像メモリ領域の容量を設定するユーザ設定ガイダンス画面を表示して（処理２０４）、ユーザにファクシミリ用画像メモリ領域の容量を設定させる。なお、判断２０３の結果がＹＥＳになるときには、処理２０４を実行しない。
【００６７】
次いで、ファクシミリ用画像メモリ領域の容量をユーザ設定された内容で、かつ、拡張メモリ有りの状態でメモリ管理を初期化し（処理２０５）、メモリ構成情報を、図９，１０に示したような拡張メモリ有りの状態に更新し（処理２０６）、次の処理へ移行する。
【００６８】
一方、拡張メモリ３３が装着されているがファクシミリユニットＦＵが接続されていない場合で、判断２０２の結果がＮＯになるときには、図８に示したように、拡張メモリ３３の全容量を複写専用に設定してメモリ管理を初期化し（処理２０７）、処理２０６へ移行して、メモリ構成情報を拡張メモリ有りの状態に更新し、次の処理へ移行する。
【００６９】
また、拡張メモリ３３が装着されていない場合で、判断２０１の結果がＮＯになるときには、図７に示したような、ＲＡＭ２３のみを使用する態様にメモリ管理を初期化し（処理２０８）、処理２０６へ移行して、メモリ構成情報を拡張メモリなしの状態に更新し、次の処理へ移行する。
【００７０】
【発明の効果】
以上説明したように、本発明によれば、複写機能を備えるとともにファクシミリ機能をオプション機能として搭載可能な複合装置において、前記複写機能およびファクシミリ機能の動作制御を行う中央処理装置と、該中央処理装置のワークエリア、前記複写機能で使用する第１の画像用メモリ領域を少なくとも構成するとともにバッテリバックアップされた基本メモリと、拡張メモリを装着するための拡張メモリ装着手段と、前記拡張メモリ装着手段に拡張メモリが装着されず、かつ、前記ファクシミリ機能が搭載されていない場合には、前記基本メモリに、前記ワークエリアおよび前記第１の画像用メモリ領域を割り当て、前記拡張メモリ装着手段に拡張メモリが装着されず、かつ、前記ファクシミリ機能が搭載されている場合には、前記基本メモリに、前記ワークエリア、前記第１の画像用メモリ領域、および、前記ファクシミリ機能で使用する第２の画像用メモリ領域を割り当て、前記拡張メモリ装着手段に拡張メモリが装着され、かつ、前記ファクシミリ機能が搭載されていない場合には、前記基本メモリに、前記ワークエリアおよび前記第１の画像用メモリ領域を割り当てるとともに、前記拡張メモリの全記憶領域に、前記複写機能で使用される第１の拡張メモリ領域を割り当て、前記拡張メモリ装着手段に拡張メモリが装着され、かつ、前記ファクシミリ機能が搭載されている場合には、前記基本メモリに、前記ワークエリア、前記第１の画像用メモリ領域の一部、および、前記ファクシミリ機能で使用する第２の画像用メモリ領域の全部を割り当てるとともに、前記拡張メモリの記憶領域に、前記第１の画像用メモリ領域の残りの部分、および、前記複写機能で使用される第２の拡張メモリ領域を割り当てるメモリ管理手段を備えたので、拡張メモリを装着した際にファクシミリ機能で使用できる画像用メモリ領域を拡張できるという効果を得る。また、前記基本メモリはバッテリバックアップされるとともに、拡張後の前記第２の画像用メモリ領域の全領域は、前記バッテリバックアップされた基本メモリに確保されるので、本体装置の電源がオフされたときにもファクシミリ機能にかかる画情報を保存することができ、適切なファクシミリ動作を行うことができるという効果も得る。
【図面の簡単な説明】
【図１】本発明の一実施例にかかる複合装置の一例を示したブロック図。
【図２】拡張メモリ１３を装着しない場合における、ＲＡＭ３のメモリ領域の割当の態様の一例を示した概略図。
【図３】拡張メモリ１３を装着した場合における、ＲＡＭ３および拡張メモリ１３のメモリ領域割当の態様の一例を示した概略図。
【図４】電源投入直後の初期化処理でＣＰＵ１が実行する処理の一部の一例を示したフローチャート。
【図５】電源投入直後の初期化処理でＣＰＵ１が実行する処理の一部の一例を示したフローチャート（続き）。
【図６】本発明の他の実施例にかかる複合装置の一例を示したブロック図。
【図７】拡張メモリ３３を装着しない場合における、ＲＡＭ３３のメモリ領域の割当の態様の一例を示した概略図。
【図８】拡張メモリ３３を装着した場合における、ＲＡＭ２３および拡張メモリ３３のメモリ領域割当の態様の一例を示した概略図。
【図９】拡張メモリ３３を装着し、かつ、ファクシミリユニットＦＵを接続した場合における、ＲＡＭ２３および拡張メモリ３３のメモリ領域割当の態様の一例を示した概略図。
【図１０】拡張メモリ３３を装着し、かつ、ファクシミリユニットＦＵを接続した場合における、ＲＡＭ２３および拡張メモリ３３のメモリ領域割当の態様の他の例を示した概略図。
【図１１】電源投入直後の初期化処理でＣＰＵ２１が実行する処理の一部の一例を示したフローチャート。
【符号の説明】
１，２１  ＣＰＵ（中央処理装置）
３，２３  ＲＡＭ（ランダム・アクセス・メモリ；基本メモリ）
１３，３３  拡張メモリ
【図１】
0004156206.tif 000002
【図２】
0004156206.tif 000003
【図３】
0004156206.tif 000004
【図４】
0004156206.tif 000005
【図６】
0004156206.tif 000006
【図７】
0004156206.tif 000007
【図８】
0004156206.tif 000008
【図９】
0004156206.tif 000009
【図１０】
0004156206.tif 000010
【図１１】
0004156206.tif 000011
【図５】
0004156206.tif 000012